(57)【要約】【課題】複合機の各機能の操作頻度を考慮して最適な配置場所を分析することで、複合機を効果的に運用できる環境を構築することが可能な最適配置分析装置、方法およびプログラムを提供する。【解決手段】ログ収集部５は複合機２の使用履歴ログを機能毎に収集し、収集した複合機２の使用履歴ログをログデータベース６に蓄積する。そして、クライアント３から最適配置度の算出指示、複合機２の位置情報、およびクライアント３の位置情報を受け付けると、最適配置係数設定部７は複合機２が提供する機能の操作種毎の最適配置に関わる最適配置係数を設定し、最適配置度算出部８は複合機２の使用履歴ログと、複合機２の位置情報およびクライアント３の位置情報と、最適配置係数とに基づき、複合機２の最適配置度を算出し、算出した最適配置度をクライアント３に送出する。【選択図】  図２
2004289642.tif 000002
【特許請求の範囲】
【請求項１】
複数の機能を実行可能な複合機から収集した使用履歴、該複合機に関する複合機情報、および該複合機を使用するユーザに関するユーザ情報に基づき、該複合機の最適配置度を算出する最適配置度算出手段と、
前記最適配置算出手段で算出した最適配置度を表示する表示制御手段と
を具備することを特徴とする最適配置分析装置。
【請求項２】
前記使用履歴は、
前記ユーザ毎の複合機の使用履歴、前記複合機の各機能における操作種別の使用履歴、および前記複合機の各機能における操作種別の処理時間であり、
前記複合機情報は、
前記複合機の位置情報および前記複合機が実行可能な機能の情報であり
前記ユーザ情報は、
前記ユーザの位置情報および前記ユーザが使用する複合機の機能の情報である
ことを特徴とする請求項１記載の最適配置分析装置。
【請求項３】
前記ユーザ毎の使用履歴と、前記操作種別の使用履歴と、前記ユーザの位置情報とに基づき、前記最適配置算出手段が算出した最適配置度により、前記ユーザの前記複合機への移動距離を最小にする複合機の配置場所を分析する
ことを特徴とする請求項２記載の最適配置分析装置。
【請求項４】
前記ユーザ毎の使用履歴と、前記操作種別の使用履歴と、前記操作種別の処理時間と、前記ユーザの位置情報と、前記ユーザが使用する機能の情報とに基づき、前記最適配置算出手段が算出した最適配置度により、前記ユーザの使用時間を最短にする複合機を分析する
ことを特徴とする請求項２記載の最適配置分析装置。
【請求項５】
前記操作種別の使用履歴と、前記操作種別の処理時間と、前記ユーザの位置情報とに基づき、前記最適配置算出手段が算出した最適配置度により、前記複合機の負荷を分散させる複合機の配置場所を分析する
ことを特徴とする請求項２記載の最適配置分析装置。
【請求項６】
複数の機能を実行可能な複合機の使用履歴を収集して蓄積し、
前記複合機に関する複合機情報、および該複合機を使用するユーザに関するユーザ情報が入力された際に、前記使用履歴、該複合機情報および該ユーザ情報に基づき、該複合機の最適配置度を算出し、
該算出した最適配置度を表示する
ことを特徴とする最適配置分析方法。
【請求項７】
前記使用履歴は、
前記ユーザ毎の複合機の使用履歴、前記複合機の各機能における操作種別の使用履歴、および前記複合機の各機能における操作種別の処理時間であり、
前記複合機情報は、
前記複合機の位置情報および前記複合機が実行可能な機能の情報であり、
前記ユーザ情報は、
前記ユーザの位置情報および前記ユーザが使用する複合機の機能の情報である
ことを特徴とする請求項６記載の最適配置分析方法。
【請求項８】
前記ユーザ毎の使用履歴と、前記操作種別の使用履歴と、前記ユーザの位置情報とに基づいて算出した最適配置度により、前記ユーザの前記複合機への移動距離を最小にする複合機の配置場所を分析する
ことを特徴とする請求項７記載の最適配置分析方法。
【請求項９】
前記ユーザ毎の使用履歴と、前記操作種別の使用履歴と、前記操作種別の処理時間と、前記ユーザの位置情報と、前記ユーザが使用する機能の情報とに基づいて算出した最適配置度により、前記ユーザの使用時間を最短にする複合機を分析する
ことを特徴とする請求項７記載の最適配置分析方法。
【請求項１０】
前記操作種別の使用履歴と、前記操作種別の処理時間と、前記ユーザの位置情報とに基づいて算出した最適配置度により、前記複合機の負荷を分散させる複合機の配置場所を分析する
ことを特徴とする請求項７記載の最適配置分析方法。
【請求項１１】
複数の機能を実行可能な複合機から収集した使用履歴、該複合機に関する複合機情報、および該複合機を使用するユーザに関するユーザ情報に基づき、該複合機の最適配置度を算出する処理と、
該算出した最適配置度を表示する処理と
をコンピュータに動作させることを特徴とする最適配置分析プログラム。
【請求項１２】
前記使用履歴は、
前記ユーザ毎の複合機の使用履歴、前記複合機の各機能における操作種別の使用履歴、および前記複合機の各機能における操作種別の処理時間であり、
前記複合機情報は、
前記複合機の位置情報および前記複合機が実行可能な機能の情報であり
前記ユーザ情報は、
前記ユーザの位置情報および前記ユーザが使用する複合機の機能の情報である
ことを特徴とする請求項１１記載の最適配置分析プログラム。
【請求項１３】
前記ユーザ毎の使用履歴と、前記操作種別の使用履歴と、前記ユーザの位置情報とに基づいて算出した最適配置度により、前記ユーザの前記複合機への移動距離を最小にする複合機の配置場所を分析する
ことを特徴とする請求項１２記載の最適配置分析プログラム。
【請求項１４】
前記ユーザ毎の使用履歴と、前記操作種別の使用履歴と、前記操作種別の処理時間と、前記ユーザの位置情報と、前記ユーザが使用する機能の情報とに基づいて算出した最適配置度により、前記ユーザの使用時間を最短にする複合機を分析する
ことを特徴とする請求項１２記載の最適配置分析プログラム。
【請求項１５】
前記操作種別の使用履歴と、前記操作種別の処理時間と、前記ユーザの位置情報とに基づいて算出した最適配置度により、前記複合機の負荷を分散させる複合機の配置場所を分析する
ことを特徴とする請求項１２記載の最適配置分析プログラム。
【発明の詳細な説明】
【０００１】
【発明の属する技術分野】
本発明は、最適配置分析装置、方法およびプログラムに関し、特に、複合機の各機能の操作頻度を考慮して最適な配置場所を分析する最適配置分析装置、方法およびプログラムに関する。
【０００２】
【従来の技術】
近年、コピー機能、スキャナ機能、プリンタ機能、ファクシミリ（以下、ＦＡＸとする）機能といった複数の機能を１台の装置で提供する複合機は、ユーザの操作も複雑化してきている。
【０００３】
ここで、複合機の各機能の操作頻度により複合機の操作パネルを制御し、ユーザの操作性を高めるものがある（例えば、特許文献１参照。）。
【０００４】
【特許文献１】
特開平１１−１９６２１１号公報
【発明が解決しようとする課題】
しかし、複合機の各機能の操作頻度はユーザによって異なり（例えば、プリンタ機能を使用する頻度が高いユーザは、操作パネルを使用せずに遠隔から操作する頻度が高くなる）、複合機の操作パネルを制御するだけでは、ユーザの操作性を高めるのは困難である。
【０００５】
更に、複合機を効果的に運用するために、複合機を操作パネルの操作頻度が高いユーザの近い位置に、操作パネルの操作頻度が低いユーザから遠い位置に配置することが理想的ではあるものの、複合機の各機能の操作頻度はユーザ、部門、マシンまたはアプリケーションによる異なり、そのような複合機を効果的に運用するための配置位置を分析することは困難であった。
【０００６】
そこで、本発明は、複合機の各機能の操作頻度を考慮して最適な配置場所を分析することで、複合機を効果的に運用できる環境を構築することが可能な最適配置分析装置、方法およびプログラムを提供することを目的とする。
【０００７】
【課題を解決するための手段】
上記目的を達成するため、請求項１の発明は、複数の機能を実行可能な複合機から収集した使用履歴、該複合機に関する複合機情報、および該複合機を使用するユーザに関するユーザ情報に基づき、該複合機の最適配置度を算出する最適配置度算出手段と、前記最適配置算出手段で算出した最適配置度を表示する表示制御手段とを具備することを特徴とする。
【０００８】
また、請求項２の発明は、請求項１の発明において、前記使用履歴は、前記ユーザ毎の複合機の使用履歴、前記複合機の各機能における操作種別の使用履歴、および前記複合機の各機能における操作種別の処理時間であり、前記複合機情報は、前記複合機の位置情報および前記複合機が実行可能な機能の情報であり前記ユーザ情報は、前記ユーザの位置情報および前記ユーザが使用する複合機の機能の情報であることを特徴とする。
【０００９】
また、請求項３の発明は、請求項２の発明において、前記ユーザ毎の使用履歴と、前記操作種別の使用履歴と、前記ユーザの位置情報とに基づき、前記最適配置算出手段が算出した最適配置度により、前記ユーザの前記複合機への移動距離を最小にする複合機の配置場所を分析することを特徴とする。
【００１０】
また、請求項４の発明は、請求項２の発明において、前記ユーザ毎の使用履歴と、前記操作種別の使用履歴と、前記操作種別の処理時間と、前記ユーザの位置情報と、前記ユーザが使用する機能の情報とに基づき、前記最適配置算出手段が算出した最適配置度により、前記ユーザの使用時間を最短にする複合機を分析することを特徴とする。
【００１１】
また、請求項５の発明は、請求項２の発明において、前記操作種別の使用履歴と、前記操作種別の処理時間と、前記ユーザの位置情報とに基づき、前記最適配置算出手段が算出した最適配置度により、前記複合機の負荷を分散させる複合機の配置場所を分析することを特徴とする。
【００１２】
また、請求項６の発明は、複数の機能を実行可能な複合機の使用履歴を収集して蓄積し、前記複合機に関する複合機情報、および該複合機を使用するユーザに関するユーザ情報が入力された際に、前記使用履歴、該複合機情報および該ユーザ情報に基づき、該複合機の最適配置度を算出し、該算出した最適配置度を表示することを特徴とする最適配置分析方法。
【００１３】
また、請求項７の発明は、請求項６の発明において、前記使用履歴は、前記ユーザ毎の複合機の使用履歴、前記複合機の各機能における操作種別の使用履歴、および前記複合機の各機能における操作種別の処理時間であり、前記複合機情報は、前記複合機の位置情報および前記複合機が実行可能な機能の情報であり、前記ユーザ情報は、前記ユーザの位置情報および前記ユーザが使用する複合機の機能の情報であることを特徴とする。
【００１４】
また、請求項８の発明は、請求項７の発明において、前記ユーザ毎の使用履歴と、前記操作種別の使用履歴と、前記ユーザの位置情報とに基づいて算出した最適配置度により、前記ユーザの前記複合機への移動距離を最小にする複合機の配置場所を分析することを特徴とする。
【００１５】
また、請求項９の発明は、請求項７の発明において、前記ユーザ毎の使用履歴と、前記操作種別の使用履歴と、前記操作種別の処理時間と、前記ユーザの位置情報と、前記ユーザが使用する機能の情報とに基づいて算出した最適配置度により、前記ユーザの使用時間を最短にする複合機を分析することを特徴とする。
【００１６】
また、請求項１０の発明は、請求項７の発明において、前記操作種別の使用履歴と、前記操作種別の処理時間と、前記ユーザの位置情報とに基づいて算出した最適配置度により、前記複合機の負荷を分散させる複合機の配置場所を分析することを特徴とする。
【００１７】
また、請求項１１の発明は、複数の機能を実行可能な複合機から収集した使用履歴、該複合機に関する複合機情報、および該複合機を使用するユーザに関するユーザ情報に基づき、該複合機の最適配置度を算出する処理と、該算出した最適配置度を表示する処理とをコンピュータに動作させることを特徴とする。
【００１８】
また、請求項１２の発明は、請求項１１の発明において、前記使用履歴は、前記ユーザ毎の複合機の使用履歴、前記複合機の各機能における操作種別の使用履歴、および前記複合機の各機能における操作種別の処理時間であり、前記複合機情報は、前記複合機の位置情報および前記複合機が実行可能な機能の情報であり前記ユーザ情報は、前記ユーザの位置情報および前記ユーザが使用する複合機の機能の情報であることを特徴とする。
【００１９】
また、請求項１３の発明は、請求項１２の発明において、前記ユーザ毎の使用履歴と、前記操作種別の使用履歴と、前記ユーザの位置情報とに基づいて算出した最適配置度により、前記ユーザの前記複合機への移動距離を最小にする複合機の配置場所を分析することを特徴とする。
【００２０】
また、請求項１４の発明は、請求項１２の発明において、前記ユーザ毎の使用履歴と、前記操作種別の使用履歴と、前記操作種別の処理時間と、前記ユーザの位置情報と、前記ユーザが使用する機能の情報とに基づいて算出した最適配置度により、前記ユーザの使用時間を最短にする複合機を分析することを特徴とする。
【００２１】
また、請求項１５の発明は、請求項１２の発明において、前記操作種別の使用履歴と、前記操作種別の処理時間と、前記ユーザの位置情報とに基づいて算出した最適配置度により、前記複合機の負荷を分散させる複合機の配置場所を分析することを特徴とする。
【００２２】
【発明の実施の形態】
以下、本発明に係わる最適配置分析装置、方法およびプログラムの実施の形態について添付図面を参照して詳細に説明する。
【００２３】
図１は、本発明を適用するシステムの構成例を示したブロック図である。
【００２４】
図１に示すように、本発明を適用するシステムは、最適配置分析装置１、複数の複合機２、複数のクライアント３がＬＡＮ（Ｌｏｃａｌ  Ａｒｅａ  Ｎｅｔｗｏｒｋ）等のネットワーク４を介して接続している。
【００２５】
ここで、最適配置分析装置１は、複合機２が提供する機能毎の使用履歴ログを各複合機２から収集して蓄積し、蓄積した使用履歴ログおよび複合機２の位置情報およびクライアント３（ユーザ）の位置情報に基づいて複合機２の最適配置場所を分析する。
【００２６】
また、複合機２は、コピー機能、スキャナ機能、プリンタ機能、ファクシミリ（以下、ＦＡＸとする）機能といった複数の機能を提供する。なお、複合機２が提供する機能は上記に記載した機能に限定しない。
【００２７】
また、クライアント３はアプリケーションソフトウェアを使用し、当該アプリケーションソフトウェアで生成したドキュメント等を複合機２により印刷したり、複合機２で取り込んだ画像をクライアント３の記憶装置に保存したり、最適配置分析装置１へのアクセスを行い、最適配置分析装置１が分析した複合機２の最適配置場所を表示装置に表示する。
【００２８】
図２は、本発明に係わる最適配置分析装置１の機能的な構成の一例を示すブロック図である。
【００２９】
図２に示すように、最適配置分析装置１は、ログ収集部５、ログデータベース６、最適配置係数設定部７、最適配置度算出部８から構成されている。
【００３０】
ここで、ログ収集部５は、複合機２の使用履歴ログを機能毎に収集する。なお、機能毎に収集する使用履歴ログとして、例えば、コピーの使用履歴ログ、スキャンの使用履歴ログ、通常プリントの使用履歴ログ、進展ボックスプリントの使用履歴ログ、ＦＡＸ受信の使用履歴ログ、ＦＡＸ受信プリントの使用履歴ログ、ＦＡＸ送信の使用履歴ログ等である。
【００３１】
また、ログデータベース６は、ログ収集部５で収集した複合機２の使用履歴ログを蓄積する。
【００３２】
また、最適配置係数設定部７は、複合機２が提供する機能の操作種毎の最適配置に関わる係数である最適配置係数を設定する。
【００３３】
また、最適配置度算出部８は、ログデータベース６に蓄積された複合機２の使用履歴ログと、クライアント３から受け付けたクライアント３の位置情報および複合機２の位置情報と、最適配置係数設定部７が設定した最適配置係数とに基づき、複合機２の最適配置度を算出する。なお、最適配置度を算出するアルゴリズムは特に限定しない。
【００３４】
次に、複合機２の最適配置度を算出する際の最適配置分析装置１の機能的な動作について図２を参照して説明する。
【００３５】
ログ収集部５は複合機２の使用履歴ログを機能毎（コピー機能９、スキャナ機能１０、プリンタ機能１１、ＦＡＸ機能１２等）に収集し、収集した複合機２の使用履歴ログをログデータベース６に蓄積する。そして、クライアント３から最適配置度の算出指示を受け付けると、クライアント３に対して複合機２の位置情報およびクライアント３の位置情報の入力を要求し、クライアント３から複合機２の位置情報およびクライアント３の位置情報を受け付けると、最適配置係数設定部７は複合機２が提供する機能の操作種毎の最適配置に関わる最適配置係数を設定し、最適配置度算出部８はログデータベース６に蓄積された複合機２の使用履歴ログと、クライアント３から受け付けた複合機２の位置情報およびクライアント３の位置情報と、最適配置係数設定部７が設定した最適配置係数とに基づき、複合機２の最適配置度を算出し、算出した最適配置度をクライアント３に送出する。
【００３６】
次に、最適配置度の算出式の一例を示す。
【００３７】
【式１】
2004289642.tif 000003
【００３８】
ここで、Ｌ＝最適配置度、Ｎ＝ユーザ（クライアント）の数、αｉ＝ユーザｉの利用率（ユーザｉの利用回数÷全体の利用回数）、Ｄｉ＝複合機とユーザｉ間の相対距離、Ｍ＝複合機の操作、βｉｊ＝ユーザｉの操作ｊの割合（利用者ｉの操作ｊの利用回数÷利用者ｉの全利用回数）、ρｊ＝操作ｊに対する最適配置係数、である。
【００３９】
次に、複合機２の最適配置度を算出する際に、最適配置分析装置１が行う最適配置度の算出の処理手順について図３のフローチャートを参照して説明する。
【００４０】
最適配置度の算出指示を受け付けると、複合機の位置情報およびクライアントの位置情報の有無を確認し、位置情報が無い場合（ステップＳ３０１でＮＯ）、位置情報が入力されるまで待機する。
【００４１】
位置情報が有る場合（ステップＳ３０１でＹＥＳ）、若しくは位置情報が入力された場合（ステップＳ３０２）、複合機の使用履歴ログの有無を確認し、使用履歴ログが有る場合（ステップＳ３０３でＹＥＳ）、機能毎の最適配置に関わる最適配置係数を設定し（ステップＳ３０４）、使用履歴ログと、複合機の位置情報およびクライアントの位置情報と、最適配置係数とに基づいて最適配置度を算出し（ステップＳ３０５）、算出した最適配置度をクライアントに表示させ（ステップＳ３０６）、処理手順を終了する。
【００４２】
なお、ステップＳ３０３において、使用履歴ログが無い場合（ステップＳ３０３でＮＯ）、複合機の最適配置場所の分析は不可能であり（ステップＳ３０７）、処理手順を終了する。
【００４３】
次に、最適配置分析装置１による複合機２の最適配置場所の分析について、具体的な実施例を参照して説明する。
【００４４】
まず、第１の実施例として、複合機２を使用する全ユーザにとっての最適配置場所を分析する場合について説明する。
【００４５】
図４は、第１の実施例における最適配置場所１の分析の流れについて説明する図である。
【００４６】
複合機２を使用する全ユーザにとっての最適配置場所を示す最適配置度を算出するために必要な情報は、複合機２の使用履歴ログ、および全クライアント（ユーザ）の位置情報である。
【００４７】
最適配置分析装置１は複合機２から使用履歴ログを随時収集している。ここで、複合機２を使用する全ユーザにとっての最適配置場所を示す最適配置度の算出指示、および複合機２を使用する全クライアントの位置情報がクライアント３から入力されると（▲１▼）、最適配置分析装置１は複合機２の使用履歴ログからクライアント毎の使用履歴と各機能における操作種別の使用履歴とを読み出し、読み出したクライアント毎の使用履歴と各機能における操作種別の使用履歴、および全クライアントの位置情報に基づいて最適配置度を算出し（▲２▼）、最適配置分析装置１は算出した最適配置度をクライアント３に表示させる（▲３▼）。
【００４８】
図５は、第１の実施例において、最適配置分析装置１が算出した複合機２を使用する全ユーザにとっての最適配置場所を示す最適配置度の表示例を示す図である。
【００４９】
図５（ａ）は、複合機を２使用する全ユーザにとっての最適配置場所を示す最適配置度の第１の表示例を示す図である。図５（ａ）に示すように、オフィス等のレイアウト上において、複合機２を使用する全ユーザにとっての最適配置場所を示す最適配置度が高い場所を表示している。
【００５０】
例えば、１の場所の最適配置度は「８５」、２の場所の最適配置度は「７８」、３の場所の最適配置度は「７３」、４の場所の最適配置度は「７１」、５の場所の最適配置度は「６８」、６の場所の最適配置度は「６６」、７の場所の最適配置度は「５７」、８の場所の最適配置度は「５５」、９の場所の最適配置度は「５２」、１０の場所の最適配置度は「４８」となっている。これらの場所の中で、１の場所の最適配置度が最も高く、１の場所が複合機２を使用する全ユーザにとっての最適配置場所であることが分かる。従って、ユーザは図５（ａ）に示すような第１の表示例に基づいて複合機２の配置場所を検討することができる。
【００５１】
図５（ｂ）は、複合機２を使用する全ユーザにとっての最適配置場所を示す最適配置度の第２の表示例を示す図である。図５（ｂ）に示すように、オフィス等のレイアウト上でユーザが所望する場所にカーソル１３を合わせると、当該場所に対応する最適配置度が表示される。
【００５２】
例えば、図示する場所にカーソル等を合わせることで、当該場所の最適配置度である「８５」が表示され、他の場所にもカーソル等を合わせることで、他の場所の最適配置度を確認し、ユーザが候補に挙げている複数の場所の最適配置度を比較する。従って、ユーザは図５（ｂ）に示すような第２の表示例に基づいて複合機２の配置場所を検討することができる。
【００５３】
図５（ｃ）は、複合機２を使用する全ユーザにとっての最適配置場所を示す最適配置度の第３の表示例を示す図である。図５（ｃ）に示すように、オフィス等のレイアウト上において、複合機２を使用する全ユーザにとっての最適配置場所を示す最適配置度が高い場所を領域別に表示している。
【００５４】
例えば、最適配置度が「〜８０」の領域、最適配置度が「７９〜７０」の領域、最適配置度が「６９〜６０」の領域、最適配置度が「５９〜５０」の領域、最適配置度が「４９〜４０」の領域、最適配置度が「３９〜０」の領域を、それぞれ表示のパターンを変えて表示され、これらの領域の中で、最適配置度が「〜８０」の領域が複合機２を使用する全ユーザにとっての最適配置場所であることが分かる。従って、ユーザは図５（ｃ）に示すような第１の表示例に基づいて複合機２の配置場所を検討することができる。
【００５５】
次に、第２の実施例として、複合機２が提供する任意の機能を使用する際に、ユーザにとって当該機能を使用する所要時間が最短となる複合機２を分析する場合について説明する。
【００５６】
図６は、第２の実施例におけるユーザにとって使用する所要時間が最短となる複合機２の分析の流れについて説明する図である。
【００５７】
ユーザにとって使用する所要時間が最短となる複合機２を示す最適配置度を算出するために必要な情報は、複合機２の使用履歴ログ、全複合機の位置情報、クライアント（ユーザ）の位置情報である。
【００５８】
最適配置分析装置１は各複合機が提供する機能、および各複合機の位置情報を予め収集し（▲１▼）、更に各複合機から使用履歴ログを随時収集している。ここで、ユーザにとって使用する所要時間が最短となる複合機を示す最適配置度の算出指示と、クライアントの位置情報およびユーザが利用する機能とがクライアント３から入力されると（▲２▼）、最適配置分析装置１は複合機２の使用履歴ログからクライアント毎の使用履歴と各機能における操作種別の使用履歴と各機能における操作種別の処理時間とを読み出し、読み出したクライアント毎の使用履歴と各機能における操作種別の使用履歴と各機能における操作種別の処理時間、クライアントの位置情報、およびユーザが利用する機能に基づいて最適配置度を算出し（▲３▼）、最適配置分析装置１は算出した最適配置度をクライアント３に表示させる（▲４▼）。
【００５９】
図７は、第２の実施例において、最適配置分析装置１が算出したユーザにとって使用する所要時間が最短となる複合機２を示す最適配置度の表示例を示す図である。
【００６０】
図７に示すように、オフィス等のレイアウト上において、ユーザにとって使用する所要時間が最短となる複合機２の最適配置場所が表示されている。
【００６１】
例えば、▲１▼の場所に配置された複合機２の最適配置度は「８５」、▲２▼の場所に配置された複合機２の最適配置度は「７８」、▲３▼の場所に配置された複合機２の最適配置度は「６８」、▲４▼の場所に配置された複合機２の最適配置度は「６６」、▲５▼の場所に配置された複合機２の最適配置度は「５５」、▲６▼の場所に配置された複合機２の最適配置度は「４８」となっている。これらの場所の中で、▲１▼の場所に配置された複合機２の最適配置度が最も高く、▲１▼の場所に配置された複合機２を使用すれば、ユーザにとって使用する所要時間が最短になることが分かる。そして、ユーザは表示された各複合機の最適配置度に基づき、コンボボックス１４等により使用する複合機２を選択する。従って、ユーザは図７に示すような表示例に基づいて使用する複合機２を選択することができる。
【００６２】
次に、第３の実施例として、複合機２の負荷を分散させるための複合機２の最適配置場所を分析する場合について説明する。
【００６３】
図８は、第３の実施例における複合機２の負荷を分散させるための複合機２の最適配置場所の分析の流れについて説明する図である。
【００６４】
複合機２の負荷を分散させるための複合機２の最適配置場所を示す最適配置度を算出するために必要な情報は、複合機２の使用履歴ログ、複合機２を使用する全クライアント（ユーザ）の位置情報である。
【００６５】
最適配置分析装置１は複合機２から使用履歴ログを随時収集している。ここで、複合機２の負荷を分散させるための複合機２の最適配置場所を示す最適配置度の算出指示と、複合機２を使用する全クライアントの位置情報とがクライアント３から入力されると（▲１▼）、最適配置分析装置１は複合機２の使用履歴ログから各機能における操作種別の使用履歴と各機能における操作種別の処理時間とを読み出し、読み出した各機能における操作種別の使用履歴と各機能における操作種別の処理時間、および全クライアントの位置情報に基づいて最適配置度を算出し（▲２▼）、最適配置分析装置１は算出した最適配置度をクライアント３に表示させる（▲３▼）。
【００６６】
図９は、第３の実施例において、最適配置分析装置１が算出した複合機２の負荷を分散させるための複合機２の最適配置場所を示す最適配置度の表示例を示す図である。
【００６７】
図９に示すように、オフィス等のレイアウト上において、複合機２の負荷を分散させるために、機能毎に推奨された複合機２の配置場所を表示している。
【００６８】
例えば、スキャナ機能を使用する際には▲１▼の場所に配置された複合機２の使用を推奨し、コピー機能を使用する際には▲２▼の場所に配置された複合機２の使用を推奨し、プリンタ機能を使用する際には▲３▼の場所若しくは▲６▼の場所に配置された複合機２の使用を推奨し、ＦＡＸ受信する際には▲４▼の場所に配置された複合機２の使用を推奨し、ＦＡＸ送信する際には▲５▼の場所に配置された複合機２の使用を推奨している。従って、ユーザは図９に示すような第３の表示例に基づき、機能毎に推奨された複合機２を使用することで、複合機２の負荷を分散させることができる。
【００６９】
なお、上記実施例で説明した最適配置分析装置１を複合機に内蔵する構成でも適用可能である。
【００７０】
また、上記実施例で説明した最適配置分析装置１と同様の処理を行うことが可能な最適配置分析プログラムを、一般的なＰＣ（Ｐｅｒｓｏｎａｌ  Ｃｏｍｐｕｔｅｒ）等の汎用電子計算機にインストールする構成、または当該最適配置分析プログラムを複合機にインストールする構成でも適用可能である。
【００７１】
また、上記実施例では、最適配置分析装置１がログ収集部５およびログデータベース６を内蔵する構成について説明してきたが、当該構成に限定すること無く、例えば、ログ収集部５と同様な処理を行うことが可能な装置が複合機２から使用履歴ログを随時収集し、収集した使用履歴ログを外部記憶装置に蓄積し、最適配置分析装置１が外部記憶装置に蓄積された使用履歴ログから最適配置度を算出する構成でも適用可能であり、また、最適配置分析プログラムの場合、他のプログラムが複合機２から使用履歴ログを随時収集し、最適配置分析プログラムが当該使用履歴から最適配置度を算出する構成でも適用可能である。
【００７２】
また、上記実施例では、最適配置度を算出するために必要な情報（ユーザの位置情報、複合機の位置情報等）をクライアント３より入力し、算出した最適配置度をクライアント３に表示させる構成について説明してきたが、当該構成に限定すること無く、例えば、最適配置度を算出するために必要な情報の入力、および最適配置度の表示を最適配置分析装置１で行わせる構成でも適用可能である。
【００７３】
【発明の効果】
以上説明したように本発明によれば、複合機の使用履歴、複合機の位置情報、およびユーザの位置情報に基づき、複合機を使用する全ユーザにとって最適な配置場所を分析することで、複合機を効果的に運用できる環境を構築することが可能になるという効果を奏する。
【図面の簡単な説明】
【図１】本発明を適用するシステムの構成例を示したブロック図である。
【図２】本発明に係わる最適配置分析装置１の機能的な構成の一例を示すブロック図である。
【図３】複合機２の最適配置度を算出する際に、最適配置分析装置１が行う最適配置度の算出の処理手順を示すフローチャートである。
【図４】第１の実施例における最適配置場所１の分析の流れについて説明する図である。
【図５】第１の実施例において、最適配置分析装置１が算出した複合機２を使用する全ユーザにとっての最適配置場所を示す最適配置度の表示例を示す図である。
【図６】第２の実施例におけるユーザにとって使用する所要時間が最短となる複合機２の分析の流れについて説明する図である。
【図７】第２の実施例において、最適配置分析装置１が算出したユーザにとって使用する所要時間が最短となる複合機２を示す最適配置度の表示例を示す図である。
【図８】第３の実施例における複合機２の負荷を分散させるための複合機２の最適配置場所の分析の流れについて説明する図である。
【図９】第３の実施例において、最適配置分析装置１が算出した複合機２の負荷を分散させるための複合機２の最適配置場所を示す最適配置度の表示例を示す図である。
【符号の説明】
１    最適配置分析装置
２    複合機
３    クライアント
４    ネットワーク
５    ログ収集部
６    ログデータベース
７    最適配置係数設定部
８    最適配置度算出部
９    コピー機能
１０    スキャナ機能
１１    プリンタ機能
１２    ＦＡＸ機能
１３    カーソル
１４    コンボボックス
【図１】
2004289642.tif 000004
【図２】
2004289642.tif 000005
【図３】
2004289642.tif 000006
【図４】
2004289642.tif 000007
【図５】
2004289642.tif 000008
【図６】
2004289642.tif 000009
【図７】
2004289642.tif 000010
【図８】
2004289642.tif 000011
【図９】
2004289642.tif 000012